(57)【要約】【課題】放熱板から締結部材へ熱が伝わることを抑える。【解決手段】吸着ユニットは、円板状に形成されるフィルタと、フィルタの一部に対向して配置される放熱板と、放熱板を加熱することにより放熱板を介してフィルタの一部を加熱するヒータと、放熱板を覆って加熱空間を形成するケースと、を備える。ケースは、締結部材を介して結合される一対の第１ケース部材と第２ケース部材を有する。第１ケース部材及び第２ケース部材の少なくとも一方のケース部材は、締結部材が通されるボス部と、放熱板とボス部との間に断熱空間を形成する空間形成部材と、を有する。【選択図】図１２
2019025426.tif 000002
【特許請求の範囲】
【請求項１】
円板状に形成されるフィルタと、
前記フィルタの一部に対向して配置される放熱板と、
前記放熱板を加熱することにより前記放熱板を介して前記フィルタの一部を加熱するヒータと、
前記放熱板を覆って加熱空間を形成するケースと、を備え、
前記ケースは、締結部材を介して結合される一対の第１ケース部材と第２ケース部材を有し、
前記第１ケース部材及び前記第２ケース部材の少なくとも一方のケース部材は、前記締結部材が通されるボス部と、前記放熱板と前記ボス部との間に断熱空間を形成する空間形成部材と、を有する吸着ユニット。
【請求項２】
前記ケースは、前記放熱板の厚み方向において、前記放熱板と前記ケースの内面との間に断熱空間を形成しつつ前記放熱板を支持する支持部を有する、
請求項１に記載の吸着ユニット。
【請求項３】
前記空間形成部材は、前記ボス部の外周側に配置されて前記放熱板に接する突起を有する、
請求項１または２に記載の吸着ユニット。
【請求項４】
前記ボス部の外周側に配置される環状部材を更に備え、
前記環状部材の内周面は、前記空間形成部材と接し、
前記環状部材の外周面は、前記フィルタの中心部との摺動面をなしている、
請求項１ないし請求項３のいずれか１項に記載の吸着ユニット。
【請求項５】
前記放熱板は、前記フィルタの一部を間に挟んで対向して配置される第１板と第２板を有し、
前記環状部材は、熱伝導性を有し、
前記第１板と前記第２板との間に前記環状部材の両端面が挟み込まれている、
請求項４に記載の吸着ユニット。
【請求項６】
前記ボス部の外周側には、前記環状部材の前記両端面を支持する支持面が形成されている、
請求項５に記載の吸着ユニット。
【請求項７】
前記放熱板は、前記ボス部との間の前記断熱空間を確保するように形成された切り欠き部を有し、
前記切り欠き部は、前記環状部材の周方向に沿って切り欠かれている、
請求項４ないし請求項６のいずれか１項に記載の吸着ユニット。
【請求項８】
前記支持部は、前記放熱板の面内方向における第１方向に対する前記放熱板の移動を規制する第１リブと、前記放熱板の面内方向における前記第１方向と直交する第２方向に対する前記放熱板の移動を規制する第２リブと、を有する、
請求項２に記載の吸着ユニット。
【請求項９】
請求項１ないし請求項８のいずれか１項に記載の吸着ユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、脱臭フィルタが回転可能に設けられると共に、脱臭フィルタの一部を、放熱板によって加熱する吸着ユニットを備える空気清浄機が知られている。
【０００３】
関連技術の吸着ユニットは、脱臭フィルタに対向して配置される放熱板と、放熱板を介して脱臭フィルタを加熱するヒータと、放熱板を覆って加熱空間を形成するケースと、を有するものがある。例えば、放熱板は、ネジ孔を有しており、ネジ穴に通された締結部材としてのネジによってケースに固定されている。
【先行技術文献】
【特許文献】
【０００４】
【特許文献１】特開２０１５−１３１１２３号公報
【発明の概要】
【発明が解決しようとする課題】
【０００５】
上述した吸着ユニットでは、放熱板のネジ孔にネジが接触した状態で、放熱板がケースに固定されているので、放熱板の熱がネジへ直接伝わる。金属製のネジは熱伝導率が高いので、放熱板からネジへと熱が伝わりやすい。そのため、放熱板からネジへ伝わった熱が、ケースの外部に露出されたネジの端部から、ケースの外部へ放出されやすい。このように、放熱板に接触するネジ（締結部材）からケース外部へ熱が逃げることによって、放熱板から脱臭フィルタへの伝熱量が減少し、脱臭フィルタの加熱効率の低下を招くおそれがある。また、放熱板からケースへとネジ（締結部材）を介して熱が伝わりやすく、熱によってケースが劣化することで、放熱板とケースとの固定状態がゆるむおそれもある。
【０００６】
開示の技術は、上記に鑑みてなされたものであって、放熱板から締結部材へ熱が伝わることを抑えることができる吸着ユニット及び空気清浄機を提供することを目的とする。
【課題を解決するための手段】
【０００７】
本願の開示する吸着ユニットの一態様は、円板状に形成されるフィルタと、前記フィルタの一部に対向して配置される放熱板と、前記放熱板を加熱することにより前記放熱板を介して前記フィルタの一部を加熱するヒータと、前記放熱板を覆って加熱空間を形成するケースと、を備え、前記ケースは、締結部材を介して結合される一対の第１ケース部材と第２ケース部材を有し、前記第１ケース部材及び前記第２ケース部材の少なくとも一方のケース部材は、前記締結部材が通されるボス部と、前記放熱板と前記ボス部との間に断熱空間を形成する空間形成部材と、を有する。
【発明の効果】
【０００８】
本願の開示する吸着ユニットの一態様によれば、放熱板から締結部材へ熱が伝わることを抑えることができる。
【図面の簡単な説明】
【０００９】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す正面図である。
【図６】図６は、実施例の脱臭ユニットの脱臭フィルタ部を示す斜視図である。
【図７】図７は、実施例の脱臭ユニットのフィルタ再生部を示す分解斜視図である。
【図８】図８は、実施例におけるフィルタ再生部の前面側ケース部材を内側から示す斜視図である。
【図９】図９は、実施例におけるフィルタ再生部の背面側ケース部材を内側から示す斜視図である。
【図１０】図１０は、実施例におけるフィルタ再生部の背面側ケース部材と前面側ケース部材とがネジによって結合された状態を示す斜視図である。
【図１１】図１１は、実施例におけるフィルタ再生部を示す図１０におけるＣ−Ｃ断面図である。
【図１２】図１２は、実施例における背面側ケース部材の要部を示す平面図である。
【図１３】図１３は、実施例における背面側ケース部材に背面側放熱板を取り付けた状態を示す斜視図である。
【図１４】図１４は、実施例における背面側ケース部材に背面側放熱板、シャフト部材及び前面側放熱板を取り付けた状態を示す斜視図である。
【発明を実施するための形態】
【００１０】
以下に、本願の開示する吸着ユニット及び空気清浄機の実施例を図面に基づいて詳細に説明する。なお、以下の実施例によって、本願の開示する吸着ユニット及び空気清浄機が限定されるものではない。
【実施例】
【００１１】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、吸着ユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通すことにより、通風路１０を流れる空気を加湿する。
【００２２】
なお、加湿ユニット２４は、上記の構成に限らず、例えば、貯水タンク２４ｂに溜められた水を加湿フィルタ２４ａの外周側に形成した複数の桶で汲み上げて加湿フィルタ２４ａを湿潤させるようにしてもよい。この場合は加湿フィルタ２４ａは貯水タンク２４ｂに溜められた水に浸からないようにしてもよい。また、加湿フィルタ２４ａは回転しないようにしてもよい。この場合は、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
［脱臭ユニットの構成］
図５は、実施例の脱臭ユニットを示す正面図である。実施例の吸着ユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ及びフィルタ再生部２３ｆを支持している。
【００２７】
保持部２３ｇは、合成樹脂材によって略四角形状のフレームとして形成されており、図５に示すように、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２８】
さらに、脱臭ユニット２３は、脱臭フィルタ部２３ａを回転させる駆動部２３ｊと、脱臭フィルタ２３ａａの回転を検出する回転検出部２３ｋと、を有する。駆動部２３ｊ及び回転検出部２３ｋは、保持部２３ｇの再生部収納部２３ｇｅに隣接する位置に設けられている。駆動部２３ｊは、脱臭フィルタ部２３ａの外周部に噛み合わされる駆動歯車と、駆動歯車を回転させるモータと、を有する。回転検出部２３ｋは、脱臭フィルタ部２３ａの外周部に噛み合わされる回転検出用歯車と、回転検出用歯車の回転を検出するセンサと、を有する。
【００２９】
図６は、実施例の脱臭ユニット２３の脱臭フィルタ部２３ａを示す斜視図である。脱臭フィルタ部２３ａは、図６に示すように、脱臭フィルタ２３ａａ、外周部フィルタカバー２３ａｃ及び内周部フィルタカバー２３ａｅを有する。
【００３０】
脱臭フィルタ２３ａａは、円板状に形成されており、中央に貫通孔２３ａａｏが形成されている。脱臭フィルタ２３ａａは、脱臭フィルタ２３ａａの厚さ方向に空気が通過するように形成されている。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていること、及び、フィルタ再生部２３ｆが脱臭フィルタ２３ａａの一部のみを覆い大部分を覆っていないことにより、空気抵抗が小さい。
【００３１】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って外周部の端面を保護している。内周部フィルタカバー２３ａｅは、概ね円環状に形成され、脱臭フィルタ２３ａａの貫通孔２３ａａｏの内部に配置されており、脱臭フィルタ２３ａａにおける内周縁部を覆って脱臭フィルタ２３ａａの内周部の端面を保護している。内周部フィルタカバー２３ａｅには、貫通孔２３ａｄが形成されている。
【００３２】
［フィルタ再生部の構成］
図７は、実施例の脱臭ユニット２３のフィルタ再生部２３ｆを示す分解斜視図である。フィルタ再生部２３ｆは、図７に示すように、ケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆っている。ケース２３ｅは、組み合わされる一対の、第１ケース部材としての前面側ケース部材２３ｅａと、第２ケース部材としての背面側ケース部材２３ｅｂと、を有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間が形成される。
【００３３】
放熱板２３ｃは、対向して配置される一組の第１板と第２板としての一組の前面側放熱板２３ｃａと背面側放熱板２３ｃｂを有する。第２板としての前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、第１板としての背面側放熱板２３ｃｂは、ケース２３ｅの内部に支持されている。背面側放熱板２３ｃｂは、脱臭フィルタ部２３ａの周方向における一部に対向する。脱臭フィルタ部２３ａは、背面側放熱板２３ｃｂによって脱臭フィルタ部２３ａの一部が背面側から覆われている。
【００３４】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図７）に突き当てられる。また、ＰＴＣヒータ２３ｂは、後述する背面側ケース部材２３ｅｂの第１支持部２３ｓ１の第１リブ２３ｓａの規制面２３ｓａｂ（図９）に突き当てられる。これにより、ＰＴＣヒータ２３ｂはＺ方向の両側への移動が規制されている。
【００３５】
前面側放熱板２３ｃａ及び背面側放熱板２３ｃｂは、例えば、アルミニウム材またはアルミ合金材等の熱伝導性が良好な材料によって形成されている。前面側放熱板２３ｃａは、図７に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。また、前面側放熱板２３ｃａの内周側端部には、半円状の切り欠き部２３ｃａｇが形成されており、後述する背面側ケース部材２３ｅｂの軸部２３ｘａから離間されている（図７及び図１２参照）。切り欠き部２３ｃａｇは、軸部２３ｘａの外周面と背面側放熱板２３ｃｂとの間に断熱のための空隙（断熱空間）を確保するように、軸部２３ｘａの周方向に沿って形成されている。
【００３６】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｂａとカバー対向面２３ｃｂｂを有する。フィルタ対向面２３ｃｂａは、背面側放熱板２３ｃｂの一方の面であり、カバー対向面２３ｃｂｂは、背面側放熱板２３ｃｂの他方の面である。
【００３７】
図７に示すように、背面側放熱板２３ｃｂのフィルタ対向面２３ｃｂａには、ＰＴＣヒータ２３ｂを位置決めする位置決め突起２３ｃｆが設けられており、位置決め突起２３ｃｆがＰＴＣヒータ２３ｂの外周面（Ｚ方向の一方側の外周面（脱臭フィルタ部２３ａの内周側の外周面））に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃｂａにも、ＰＴＣヒータ２３ｂを位置決めする位置決め突起２３ｃｇが設けられている。また、背面側放熱板２３ｃｂの内周側端部には、半円状の切り欠き部２３ｃｂｇが形成されており、後述する背面側ケース部材２３ｅｂの軸部２３ｘａから離間されている（図７及び図１２参照）。切り欠き部２３ｃｂｇは、軸部２３ｘａの外周面と背面側放熱板２３ｃｂとの間に断熱のための空隙を確保するように、軸部２３ｘａの周方向に沿って形成されている。
【００３８】
ＰＴＣヒータ２３ｂは、前面側放熱板２３ｃａのフィルタ対向面２３ｃａａ及び背面側放熱板２３ｃｂのフィルタ対向面２３ｃｂａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｂａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００３９】
［脱臭ユニットの特徴的な構成］
次に、実施例における脱臭ユニット２３の特徴的な構成について説明する。図８は、実施例におけるフィルタ再生部２３ｆの前面側ケース部材２３ｅａを内側から示す斜視図である。言い換えれば、図８は、ケース２３ｅの内部空間の前面側を示す斜視図である。図９は、実施例におけるフィルタ再生部２３ｆの背面側ケース部材を内側から示す斜視図である。言い換えれば、図９は、ケース２３ｅの内部空間の背面側を示す斜視図である。
【００４０】
説明の便宜上、背面側ケース部材２３ｅｂから先に説明する。背面側ケース部材２３ｅｂは、合成樹脂材によって形成されている。背面側ケース部材２３ｅｂの外形は、図７に示すように、背面側放熱板２３ｃｂの外形よりも一回り大きく形成されている。図９に示すように、背面側ケース部材２３ｅｂの内側には、脱臭フィルタ部２３ａを加熱するための加熱空間としての加熱空間部２３ｅｄが形成されている。背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄ及び第４側部２３ｅｄｅと、を有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。
【００４１】
図９に示すように、背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、締結部材としてのネジ２３ｔ等がねじ込まれるネジ孔２３ｘａａを有する。軸部２３ｘａの周囲の構造の詳細については後述する。また、背面側ケース部材２３ｅｂの外周側端部において、底部２３ｅｄａのＹ方向における両側には、前面側ケース部材２３ｅａと背面側ケース部材２３ｅｂとを一体に固定するネジ２３ｔ等がねじ込まれる貫通孔２３ｘｂａを有するボス２３ｘｂがそれぞれ形成されている。軸部２３ｘａ及びボス２３ｘｂが、本発明におけるボス部である。
【００４２】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるＰＴＣヒータ２３ｂ及び前面側放熱板２３ｃａの外周部２３ｃｂｈをそれぞれ支持する。また、背面側ケース部材２３ｅｂの底部２３ｅｄａには、背面側放熱板２３ｃｂの外周部２３ｃａｈを支持する第２支持部２３ｓ２がそれぞれ形成されている。
【００４３】
第１支持部２３ｓ１は、背面側ケース部材２３ｅｂのＹ方向における両側にそれぞれ配置されており、ボス２３ｘｂの近傍、例えばボス２３ｘｂに隣接して配置されている。第１支持部２３ｓ１は、第１方向として背面側放熱板２３ｃｂ（前面側放熱板２３ｃａ）のＺＹ面（背面側放熱板２３ｃｂ及び前面側放熱板２３ｃａの平面と平行な方向、言い換えると、厚み方向に直交する方向。以下、面内方向と称する。）におけるＺ方向（第１方向）に対する背面側放熱板２３ｃｂ、前面側放熱板２３ｃａ及びＰＴＣヒータ２３ｂの移動を規制する第１リブ２３ｓａと、第１方向と直交する第２方向として背面側放熱板２３ｃｂ（前面側放熱板２３ｃａ）のＺＹ面（面内方向）におけるＹ方向（第２方向）に対する背面側放熱板２３ｃｂ、前面側放熱板２３ｃａ及びＰＴＣヒータ２３ｂの移動を規制する第２リブ２３ｓｂと、を有する。
【００４４】
第１リブ２３ｓａは、背面側ケース部材２３ｅｂの底部２３ｅｄａから突出して形成されており、背面側放熱板２３ｃｂと背面側ケース部材２３ｅｂの内面との間に断熱のための空隙（断熱空間）を形成した状態で背面側放熱板２３ｃｂの外周部２３ｃｂｈを支持する。第１リブ２３ｓａは、ボス２３ｘｂの外周面に連結されている。第１リブ２３ｓａは、背面側放熱板２３ｃｂをＸ方向に対して支持する支持面２３ｓａａと、背面側放熱板２３ｃｂ、前面側放熱板２３ｃａ及びＰＴＣヒータ２３ｂのＺ方向の移動を規制する規制面２３ｓａｂと、を有する。
【００４５】
支持面２３ｓａａは、背面側ケース部材２３ｅｂの底部２３ｅｄａの内面から所定の高さの位置に設けられる。第２リブ２３ｓｂは、背面側ケース部材２３ｅｂの底部２３ｅｄａから突出して、内周壁２３ｐｂと第２側部２３ｅｄｃ、または内周壁２３ｐｂと第３側部２３ｅｄｄとに跨って形成されており、内周壁２３ｐｂの機械的強度が補強されている。第２リブ２３ｓｂは、背面側放熱板２３ｃｂをＸ方向に対して支持する支持面２３ｓｂａと、背面側放熱板２３ｃｂ、前面側放熱板２３ｃａ及びＰＴＣヒータ２３ｂのＹ方向の移動を規制する規制面２３ｓｂｂと、を有する。支持面２３ｓｂａは、背面側ケース部材２３ｅｂの底部２３ｅｄａの内面から所定の高さの位置に設けられる。
【００４６】
第２支持部２３ｓ２は、背面側ケース部材２３ｅｂのＺ方向における一端側（脱臭フィルタ部２３ａの貫通孔２３ａｄ側）に、軸部２３ｘａに隣接して配置されている。第２支持部２３ｓ２は、背面側放熱板２３ｃｂ（前面側放熱板２３ｃａ）のＺＹ面（面内方向）におけるＺ方向（第１方向）に対する背面側放熱板２３ｃｂの移動を規制する第３リブ２３ｓｃと、背面側放熱板２３ｃｂ（前面側放熱板２３ｃａ）のＺＹ面（面内方向）におけるＹ方向（第２方向）に対する背面側放熱板２３ｃｂの移動を規制する第４リブ２３ｓｄと、を有する。
【００４７】
第３リブ２３ｓｃは、背面側放熱板２３ｃｂをＸ方向に対して支持する支持面２３ｓｃａと、Ｚ方向に対する背面側放熱板２３ｃｂの移動を規制する規制面２３ｓｃｂと、を有する。第４リブ２３ｓｄは、Ｙ方向に対する背面側放熱板２３ｃｂの移動を規制する規制面２３ｓｄａを有する。規制面２３ｓｄａは、第３リブ２３ｓｃの支持面２３ｓｃａと直交しており、支持面２３ｓｃａと連結されている。第３リブ２３ｓｃ及び第４リブ２３ｓｄは、背面側ケース部材２３ｅｂの底部２３ｅｄａから突出して形成されており、背面側放熱板２３ｃｂと背面側ケース部材２３ｅｂの内面との間に断熱のための空隙（断熱空間）を形成した状態で背面側放熱板２３ｃｂの外周部２３ｃｂｈを支持する。第３リブ２３ｓｃ及び第４リブ２３ｓｄは、内周壁２３ｐｂと第１側部２３ｅｄｂとに跨って形成されており、内周壁２３ｐｂの機械的強度が補強されている。
【００４８】
図７及び図８に示すように、前面側ケース部材２３ｅａは、背面側ケース部材２３ｅｂと同様に、合成樹脂材によって形成されている。前面側ケース部材２３ｅａの外形は、前面側放熱板２３ｃａの外形よりも一回り大きく形成されている。前面側ケース部材２３ｅａの内側には、脱臭フィルタ部２３ａを加熱するための加熱空間としての加熱空間部２３ｅｃが形成されている。前面側ケース部材２３ｅａは有底の箱状に形成されており、前面側ケース部材２３ｅａは、底部２３ｅｃａと、前面側ケース部材２３ｅａの外周に沿って形成された外周壁としての第１側部２３ｅｃｂ、第２側部２３ｅｃｃ、第３側部２３ｅｃｄ及び第４側部２３ｅｃｅと、を有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄ及び第４側部２３ｅｃｅとで囲まれた空間が前面側内部空間となる。
【００４９】
図８に示すように、前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。前面側ケース部材２３ｅａの底部２３ｅｃａには、脱臭フィルタ部２３ａの貫通孔２３ａｄに対向する位置に、凹状の軸座部２３ｘｃが形成されている。軸座部２３ｘｃには、背面側ケース部材２３ｅｂの軸部２３ｘａの先端が突き当てられる。軸座部２３ｘｃはネジ２３ｔがねじ込まれる貫通孔２３ｘｃａを有する。また、前面側ケース部材２３ｅａの底部２３ｅｃａのＹ方向における両側で、かつ、第４側部２３ｅｃｅと隣接する位置には、背面側ケース部材２３ｅｂのボス２３ｘｂの先端が突き当てられるボス座部２３ｘｄが形成されている。ボス座部２３ｘｄはネジ２３ｔがねじ込まれる貫通孔２３ｘｄａを有する。
【００５０】
また、前面側ケース部材２３ｅａの底部２３ｅｃａには、ボス座部２３ｘｄと隣接するように、第１リブ２３ｓｅ及び第２リブ２３ｓｆが形成されている。第１リブ２３ｓｅ及び第２リブ２３ｓｆは、背面側ケース部材２３ｅｂの第１支持部２３ｓ１の第１リブ２３ｓａ及び第２リブ２３ｓｂがそれぞれ突き当てられる。また、前面側ケース部材２３ｅａの第１リブ２３ｓｅ及び第２リブ２３ｓｆは、前面側放熱板２３ｃａに接することで、前面側放熱板２３ｃａ、ＰＴＣヒータ２３ｂ及び背面側放熱板２３ｃｂのＸ方向に対する移動を規制する。第１リブ２３ｓｅ及び第２リブ２３ｓｆは、前面側ケース部材２３ｅａの底部２３ｅｃａから突出して形成されており、前面側放熱板２３ｃａと前面側ケース部材２３ｅａの内面との間に断熱のための空隙（断熱空間）を形成した状態で前面側放熱板２３ｃａの外周部２３ｃａｈを支持する。
【００５１】
前面側ケース部材２３ｅａの底部２３ｅｃａには、前面側放熱板２３ｃａの外周部２３ｃａｈを支持する第３支持部２３ｓ３が形成されている。第３支持部２３ｓ３は、前面側ケース部材２３ｅａのＺ方向における一端側（脱臭フィルタ部２３ａの貫通孔２３ａｄ側）に、軸座部２３ｘｃに隣接して配置されている。第３支持部２３ｓ３は、前面側放熱板２３ｃａのＺＹ面内方向におけるＺ方向に対する前面側放熱板２３ｃａの移動を規制する第３リブ２３ｓｇと、前面側放熱板２３ｃａのＺＹ面内方向におけるＹ方向に対する前面側放熱板２３ｃａの移動を規制する第４リブ２３ｓｈと、を有する。
【００５２】
第３リブ２３ｓｇは、前面側放熱板２３ｃａをＸ方向に対して支持する支持面２３ｓｇａと、Ｚ方向に対する前面側放熱板２３ｃａの移動を規制する規制面２３ｓｇｂと、を有する。第４リブ２３ｓｈは、Ｙ方向に対する前面側放熱板２３ｃａの移動を規制する規制面２３ｓｈａを有する。規制面２３ｓｈａは、第３リブ２３ｓｇの支持面２３ｓｇａと直交しており、支持面２３ｓｇａと連結されている。第３リブ２３ｓｇ及び第４リブ２３ｓｈは、前面側ケース部材２３ｅａの底部２３ｅｃａから突出して形成されており、前面側放熱板２３ｃａと前面側ケース部材２３ｅａの内面との間に断熱のための空隙（断熱空間）を形成した状態で前面側放熱板２３ｃａの外周部２３ｃａｈを支持する。第３リブ２３ｓｇ及び第４リブ２３ｓｈは、内周壁２３ｐａと第１側部２３ｅｃｂとに跨って形成されており、内周壁２３ｐａの機械的強度が補強されている。
【００５３】
図１０は、実施例におけるフィルタ再生部２３ｆの背面側ケース部材２３ｅｂと前面側ケース部材２３ｅａとがネジによって結合された状態を示す斜視図である。図１１は、実施例におけるフィルタ再生部２３ｆを示す図１０におけるＣ−Ｃ断面図である。
【００５４】
図１０及び図１１に示すように、背面側ケース部材２３ｅｂが有する軸部２３ｘａは、軸座部２３ｘｃに突き当てられ、軸座部２３ｘｃの貫通孔２３ｘｃａに通されたネジ２３ｔが、ネジ孔２３ｘａａにねじ込まれることにより、背面側ケース部材２３ｅｂと前面側ケース部材２３ｅａとが結合されている。前面側ケース部材２３ｅａと背面側ケース部材２３ｅｂとが結合されることで、ＰＴＣヒータ２３ｂ、前面側放熱板２３ｃａ及び背面側放熱板２３ｃｂ、脱臭フィルタ部２３ａの一部が内部に収容されるケース２３ｅが構成される。なお、締結部材としてはネジ２３ｔに限定されず、例えば、ボルト、リベット等が用いられてもよく、前面側ケース部材２３ｅａと背面側ケース部材２３ｅｂとを結合するものであればよい。
【００５５】
図７に示すように、脱臭フィルタ部２３ａの貫通孔２３ａｄには、背面側ケース部材２３ｅｂの軸部２３ｘａが挿通されることで、脱臭フィルタ部２３ａが回転可能な状態で軸部２３ｘａに支持されている。また、図７及び図１１に示すように、環状部材としての円筒状のシャフト部材２３ｘｅは、軸部２３ｘａの外周側に配置されており、軸部２３ｘａは、脱臭フィルタ部２３ａの貫通孔２３ａｄに通されたシャフト部材２３ｘｅを介して、脱臭フィルタ部２３ａの中心部を支持している。
【００５６】
シャフト部材２３ｘｅは、例えば、ステンレス等の熱伝導性を有する材料によって形成されており、背面側放熱板２３ｃｂと前面側放熱板２３ｃａとの間にシャフト部材２３ｘｅの両端面が挟み込まれている（図１１及び図１４参照）。すなわち、シャフト部材２３ｘｅの両端面は、図１１に示すように、前面側放熱板２３ｃａのフィルタ対向面２３ｃａａと、背面側放熱板２３ｃｂのフィルタ対向面２３ｃｂａとにそれぞれ突き当てられている。このため、シャフト部材２３ｘｅは、脱臭フィルタ２３ａａの厚み方向における前面側放熱板２３ｃａと背面側放熱板２３ｃｂとの間隔を規制する規制部材として機能する。したがって、シャフト部材２３ｘｅによって、前面側放熱板２３ｃａと背面側放熱板２３ｃｂの一端側（脱臭フィルタ２３ａａの内周側）の間隔が一定に規制されており、ＰＴＣヒータ２３ｂによって、前面側放熱板２３ｃａと背面側放熱板２３ｃｂの他端側（脱臭フィルタ２３ａａの外周側）の間隔が一定に規制されている。このため、シャフト部材２３ｘｅと同様にＰＴＣヒータ２３ｂも、上述した規制部材として機能している。
【００５７】
さらに、図１１に示すように、シャフト部材２３ｘｅは、外周面が脱臭フィルタ部２３ａの内周部フィルタカバー２３ａｅの貫通孔２３ａｄとの摺動面をなすと共に、内周面が背面側ケース部材２３ｅｂの軸部２３ｘａの突起２３ｘａｂに支持されている。これにより、シャフト部材２３ｘｅの内周面と軸部２３ｘａの外周面との間に、断熱のための空隙（断熱空間）が確保されるので、前面側放熱板２３ｃａ及び背面側放熱板２３ｃｂからの熱が軸部２３ｘａへ伝わることが抑えられる。また、シャフト部材２３ｘｅの外周面を脱臭フィルタ部２３ａとの摺動面とすることで、脱臭フィルタ部２３ａをケース２３ｅに対して回転自在に支持することができる。また、樹脂製の軸部２３ｘａは、金属製のシャフト部材２３ｘｅを介して、樹脂製の内周部フィルタカバー２３ａｅを摺動可能に支持している。このように摺動相手（軸部２３ｘａとシャフト部材２３ｘｅ）を異種材料とすることで、摺動相手が同種材料の場合と比べて摩擦摩耗特性を良くし、脱臭フィルタ部２３ａの回転抵抗を小さくし、軸部２３ｘａ及び貫通孔２３ａｄに生じる摩耗を抑える。これにより、脱臭フィルタ部２３ａの円滑な回転動作を実現し、脱臭フィルタ部２３ａの回転時の騒音が抑えられる。
【００５８】
加えて、シャフト部材２３ｘｅは、熱伝導性を有することにより、前面側放熱板２３ｃａと背面側放熱板２３ｃｂとの間で相互に熱伝導させることが可能となり、前面側放熱板２３ｃａと背面側放熱板２３ｃｂの温度が均一化される。このように前面側放熱板２３ｃａ及び背面側放熱板２３ｃｂからシャフト部材２３ｘｅへ熱伝導させると共に、シャフト部材２３ｘｅの内周面と軸部２３ｘａの外周面との間の空隙（空気層）が断熱層として作用することで、前面側放熱板２３ｃａ及び背面側放熱板２３ｃｂから、前面側ケース部材２３ｅａ及び背面側ケース部材２３ｅｂへ熱が逃げることが抑えられており、ＰＴＣヒータ２３ｂが前面側放熱板２３ｃａ及び背面側放熱板２３ｃｂを効率的に加熱することができる。
【００５９】
図１２は、実施例における背面側ケース部材２３ｅｂの要部を示す平面図である。図１３は、実施例における背面側ケース部材２３ｅｂに背面側放熱板２３ｃｂを取り付けた状態を示す斜視図である。図１４は、実施例における背面側ケース部材に背面側放熱板、シャフト部材及び前面側放熱板を取り付けた状態を示す斜視図である。
【００６０】
図９、図１２及び図１３に示すように、背面側ケース部材２３ｅｂが有する軸部２３ｘａの外周部には、背面側放熱板２３ｃｂ（前面側放熱板２３ｃａ）の面内方向（ＹＺ平面上）において、軸部２３ｘａ（ボス部）と背面側放熱板２３ｃｄ（前面側放熱板２３ｃａ）との間に断熱空間を形成するための空間形成部材としての複数の突起２３ｘａｂが一体に形成されている。以下、複数の突起２３ｘａｂに関して、便宜上、背面側放熱板２３ｃｂを対象として説明するが、前面側放熱板２３ｃａに対しても同様である。複数の突起２３ｘａｂは、軸部２３ｘａの周方向に等間隔をあけた４か所に、軸部２３ｘａの外周面から、軸部２３ｘａの径方向へ突出して形成されている。背面側放熱板２３ｃｂの切り欠き部２３ｃｂｇの内面に隣接する３つの突起２３ｘａｂは、背面側放熱板２３ｃｂの端部が第２支持部２３ｓ２の支持面２３ｓｃａに支持された状態で、切り欠き部２３ｃｂｇの内面に接する。これにより、軸部２３ｘａの径方向に対して、軸部２３ｘａ（ボス部）と背面側放熱板２３ｃｂとの間に、断熱空間としての空隙が形成される。そのため、軸部２３ｘａにねじ込まれるねじ２３ｘａａ（締結部材）と背面側放熱板２３ｃｂとは、互いに直接接触することがない。
【００６１】
また、軸部２３ｘａがシャフト部材２３ｘｅの内周部に通された状態で、複数の突起２３ｘａｂはシャフト部材２３ｘｅの内周面に接する。したがって、背面側放熱板２３ｃｂの切り欠き部２３ｃｂｇ（前面側放熱板２３ｃａの切り欠き部２３ｃａｇ）の内面は、シャフト部材２３ｘｅの内周面と一致するように形成されている。また、図１４に示すように、複数の突起２３ｘａｂは、背面側放熱板２３ｃｂと前面側放熱板２３ｃａとの間に両端面が挟まれたシャフト部材２３ｘｅの内周面に、軸部２３ｘａの軸方向（Ｘ方向）にわたって接するように延ばされている。これにより、シャフト部材２３ｘｅが軸部２３ｘａの軸方向に対して傾くことが規制され、軸部２３ｘａの軸方向に対してシャフト部材２３ｘｅの軸方向（シャフト部材２３ｘｅの姿勢）が傾くことなく支持されている。さらに、軸部２３ｘａの周方向に等間隔に配置された複数の突起２３ｘａｂがシャフト部材２３ｘｅの内周面に接することで、軸部２３ｘａの径方向に対してシャフト部材２３ｘｅが傾くことなく支持されている。
【００６２】
また、軸部２３ｘａを挟んで背面側放熱板２３ｃｂ（前面側放熱板２３ｃａ）側とは反対側に位置する突起２３ｘａｂには、背面側ケース部材２３ｅｂの底部２３ｅｄａ側に、シャフト部材２３ｘｅの端面を支持する支持面２３ｘａｃが形成されている。支持面２３ｘａｃは、底部２３ｅｄａからのＸ方向における高さが、第２支持部２３ｓ２の支持面２３ｓｃａよりも、背面側放熱板２３ｃｂの厚み分だけ高く形成されている。これにより、支持面２３ｘａｃは、背面側放熱板２３ｃｂのフィルタ対向面２３ｃｂａに接するシャフト部材２３ｘｅの端面を支持しており、軸部２３ｘａの軸方向（Ｘ方向）に対してシャフト部材２３ｘｅの姿勢が傾くことなく支持されている。
【００６３】
また、図８及び図１１に示すように、前面側ケース部材２３ｅａの底部２３ｅｃａには、シャフト部材２３ｘｅの端面を支持する突起２３ｘｃｂが形成されている。突起２３ｘｃｂは、支持面２３ｘｃｃを有しており、支持面２３ｘｃｃによって、前面側放熱板２３ｃａのフィルタ対向面２３ｃａａに接するシャフト部材２３ｘｅの端面を支持する。したがって、前面側放熱板２３ｃａと背面側放熱板２３ｃｂとの間に両端面が挟み込まれたシャフト部材２３ｘｅは、前面側ケース部材２３ｅａの支持面２３ｘｃｃと背面側ケース部材２３ｅｂの支持面２３ｘａｃによって両端面がそれぞれ支持されることで、軸部２３ｘａの軸方向に対するシャフト部材２３ｘｅの姿勢が安定的に支持されている。
【００６４】
なお、本実施例では、複数の突起２３ｘａｂを有する軸部２３ｘａが、背面側ケース部材２３ｅｂのみに設けられたが、この構成に限定されるものではなく、背面側ケース部材２３ｅｂと前面側ケース部材２３ｅａの両方に設けられてもよい。図示しないが、この構成の場合、例えば、背面側ケース部材２３ｅｂの軸部と、前面側ケース部材２３ｅａの軸部とが、シャフト部材２３ｘｅの内部で嵌合するように構成されてもよい。
【００６５】
また、本実施例では、空間形成部材としての突起２３ｘａｂが軸部２３ｘａの外周面に一体成形されたが、この構成に限定されるものでない。空間形成部材としての突起が、軸部２３ｘａの外周側に、軸部２３ｘａから分離して配置されてもよい。また、空間形成部材としては、例えば、外周面に突起を有するリング部材等のように、軸部２３ｘａと分離した部材が用いられてもよい。このような空間形成部材を用いる場合には、軸部２３ｘａの外周部に組み付けられてもよい。
【００６６】
［フィルタ再生部の組立工程］
以上のように構成された脱臭ユニット２３のフィルタ再生部２３ｆの組立工程について説明する。フィルタ再生部２３ｆの組立工程では、背面側ケース部材２３ｅｂ側へ、背面側放熱板２３ｃｂ、ＰＴＣヒータ２３ｂが組み付けられ、シャフト部材２３ｘｅ、脱臭フィルタ部２３ａ及び前面側放熱板２３ｃａが組み付けられる。このとき、背面側ケース部材２３ｅｂに対して、背面側放熱板２３ｃｂ、ＰＴＣヒータ２３ｂ、シャフト部材２３ｘｅ、脱臭フィルタ部２３ａ、前面側放熱板２３ｃａの順に組み付けられる。
【００６７】
図１２及び図１３に示すように、背面側ケース部材２３ｅｂに組み付けられた背面側放熱板２３ｃｂの内周側端部（軸部２３ｘａ側の端部）は、第２支持部２３ｓ２の支持面２３ｓｃａ上に支持されると共に、切り欠き部２３ｃｂｇの内面に、軸部２３ｘａの３つの突起２３ｘａｂが接している。脱臭フィルタ部２３ａの貫通孔２３ａｄには、背面側ケース部材２３ｅｂの軸部２３ｘａに取り付けられたシャフト部材２３ｘｅが通される。背面側放熱板２３ｃｂとの間にシャフト部材２３ｘｅの両端面を挟み込むように前面側放熱板２３ｃａが組み付けられる。背面側ケース部材２３ｅｂには、前面側ケース部材２３ｅａが組み合わされる。背面側ケース部材２３ｅｂに前面側ケース部材２３ｅａが組み合わされた後、軸部２３ｘａと軸座部２３ｘｃ、及びボス２３ｘｂとボス座部２３ｘｄにそれぞれネジ２３ｔがねじ込まれることにより、背面側ケース部材２３ｅｂと前面側ケース部材２３ｅａとが結合される。
【００６８】
［背面側ケース部材の第１支持部及び第２支持部、軸部の突起の作用］
フィルタ再生部２３ｆの組立工程では、背面側ケース部材２３ｅｂの第１支持部２３ｓ１及び第２支持部２３ｓ２に、背面側放熱板２３ｃｂの外周部２３ｃｂｈが載置されることで、背面側放熱板２３ｃｂの面内方向（ＹＺ平面上）における位置、背面側放熱板２３ｃｂの厚み方向（Ｘ方向）における位置が容易に位置決められる。
【００６９】
また、前面側放熱板２３ｃａの切り欠き部２３ｃａｇの内周面、及び背面側放熱板２３ｃｂの切り欠き部２３ｃｂｇの内周面に、軸部２３ｘａの突起２３ｘａｂが接するように配置されることで、前面側放熱板２３ｃａ及び背面側放熱板２３ｃｂと、軸部２３ｘａ（ボス部）の外周面との間に、断熱空間としての空隙が適正に確保される。このため、軸部２３ｘａの外周面と、前面側放熱板２３ｃａ及び背面側放熱板２３ｃｂとの間の空隙（空気層）が断熱層として機能するので、前面側放熱板２３ｃａ及び背面側放熱板２３ｃｂの熱が、軸部２３ｘａのネジ孔２３ｘａａにねじ込まれたネジ２３ｔへ伝わることが抑制される。これにより、前面側放熱板２３ｃａ及び背面側放熱板２３ｃｂの熱が、ネジ２３ｔを介してケース２３ｅ（前面側ケース部材２３ｅａ及び背面側ケース部材２３ｅｂ）の外部へ放出されることが抑えられると共に、軸部２３ｘａを介してケース２３ｅへ熱が伝わることが抑えられる。
【００７０】
次に、背面側ケース部材２３ｅｂの第１支持部２３ｓ１及び第２支持部２３ｓ２に支持された背面側放熱板２３ｃｂの上にＰＴＣヒータ２３ｂが載置されている。ＰＴＣヒータ２３ｂは、位置決め突起２３ｃｆと第１支持部２３ｓ１の第１リブ２３ｓａの規制面２３ｓａｂとＰＴＣヒータ２３ｂの外周面（Ｚ方向の側面（脱臭フィルタ部２３ａの内周側側面及び外周側側面））とがそれぞれ接するように載置される。これにより、ＰＴＣヒータ２３ｂのＹＺ平面上における位置が容易に位置決めされる。
【００７１】
続いて、シャフト部材２３ｘｅの内周部に軸部２３ｘａが通されて、軸部２３ｘａの周方向に等間隔に形成された各突起２３ｘａｂがシャフト部材２３ｘｅの内周面に接することで、軸部２３ｘａの径方向に対してシャフト部材２３ｘｅが位置決めされて安定的に支持される。次に、背面側ケース部材２３ｅｂに支持された背面側放熱板２３ｃｂ上のＰＴＣヒータ２３ｂ及びシャフト部材２３ｘｅを、背面側放熱板２３ｃｂと共に挟むように、第１支持部２３ｓ１に前面側放熱板２３ｃａが載置されることで、前面側放熱板２３ｃａの面内方向（ＹＺ平面上）における位置が容易に位置決めされる。このように背面側ケース部材２３ｅｂの第１支持部２３ｓ１及び第２支持部２３ｓ２によって、背面側放熱板２３ｃｂ、ＰＴＣヒータ２３ｂ及び前面側放熱板２３ｃａがそれぞれ容易に位置決めされる。
【００７２】
最後に、背面側ケース部材２３ｅｂに前面側ケース部材２３ｅａが組み合わされて、背面側ケース部材２３ｅｂと前面側ケース部材２３ｅａとが結合部により結合される。結合部は、例えば、軸部２３ｘａ、ボス２３ｘｂ、軸座部２３ｘｃ、ボス座部２３ｘｄ、及び締結部材としてのネジ２３ｔによって構成される。例えば、背面側ケース部材２３ｅｂと前面側ケース部材２３ｅａは、軸部２３ｘａと軸座部２３ｘｃ、及びボス２３ｘｂとボス座部２３ｘｄにそれぞれ通されたネジ２３ｔによって結合される。背面側ケース部材２３ｅｂと前面側ケース部材２３ｅａとが結合されたとき、ネジ２３ｔの締め付けによる結合力が、背面側放熱板２３ｃｂ及び前面側放熱板２３ｃａの厚み方向（Ｘ方向）に対する押圧力として作用する。
【００７３】
この押圧力は、背面側ケース部材２３ｅｂの第１支持部２３ｓ１（支持面２３ｓａａ、支持面２３ｓｂａ）及び第２支持部２３ｓ２（支持面２３ｓｃａ）を介して背面側放熱板２３ｃｂに作用する。また、この押圧力は、前面側ケース部材２３ｅａの第１リブ２３ｓｅ、第２リブ２３ｓｆ及び第３支持部２３ｓ３（支持面２３ｓｇａ）を介して前面側放熱板２３ｃａに作用する。本実施例では、第１支持部２３ｓ１、第２支持部２３ｓ２、第３支持部２３ｓ３が結合部の近傍に配置されているため、結合力が押圧力として作用しやすくなる。この押圧力によって、背面側放熱板２３ｃｂと前面側放熱板２３ｃａはＰＴＣヒータ２３ｂに押圧されるので、背面側放熱板２３ｃｂと前面側放熱板２３ｃａとの間に挟まれたＰＴＣヒータ２３ｂと、背面側放熱板２３ｃｂのフィルタ対向面２３ｃｂａ及び前面側放熱板２３ｃａのフィルタ対向面２３ｃａａとの間に隙間が生じることが抑えられる。したがって、背面側放熱板２３ｃｂとＰＴＣヒータ２３ｂとの接触状態、前面側放熱板２３ｃａとＰＴＣヒータ２３ｂとの接触状態が適正に確保される。なお、第１支持部２３ｓ１、第２支持部２３ｓ２、第３支持部２３ｓ３は、必ずしも結合部の近傍に配置されていなくてもよい。
【００７４】
本実施例では、背面側ケース部材２３ｅｂの第１支持部２３ｓ１とリブ（第１リブ２３ｓｅ及び第２リブ２３ｓｆ）の間にＰＴＣヒータ２３ｂを配置している。これにより、背面側放熱板２３ｃｂとＰＴＣヒータ２３ｂとの接触状態と、前面側放熱板２３ｃａとＰＴＣヒータ２３ｂとの接触状態がさらに適正に確保される。なお、ＰＴＣヒータ２３ｂは、必ずしも第１支持部２３ｓ１とリブ（第１リブ２３ｓｅ及び第２リブ２３ｓｆ）の間に挟まれていなくてもよい。
【００７５】
以上のように組み立てられた脱臭ユニット２３は、図５に示すように、フィルタ再生部２３ｆが保持部２３ｇの再生部収納部２３ｇｅ内に収容されている。また、脱臭フィルタ部２３ａは、外周部フィルタカバー２３ａｃの歯車部３４が、駆動部の駆動歯車（不図示）に噛み合わされており、駆動部によって回転される。さらに、脱臭フィルタ部２３ａは、外周部フィルタカバー２３ａｃの歯車部３４が、回転検出部の回転検出用歯車に噛み合わされており、回転検出部によって回転が検出される。
【００７６】
［空気清浄機の動作］
空気清浄機１は、使用者が操作部１５を操作することで、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００７７】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００７８】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００７９】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００８０】
空気清浄機１は、運転中に、ＰＴＣヒータ２３ｂに継続して通電を行うと共に、駆動部を駆動させることで、脱臭フィルタ部２３ａを所定時間毎に所定の回転角度を回転させる。所定時間は、脱臭フィルタ部２３ａの脱臭能力を再生するために必要な処理時間であり、例えば、２時間が例示される。所定の回転角度としては、３０度が例示される。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。
【００８１】
上述したように実施例の脱臭ユニット２３が有するケース２３ｅ（前面側ケース部材２３ｅａ及び背面側ケース部材２３ｅｂ）は、ネジ２３ｔが通される軸部２３ｘａ（ボス部）と、背面側放熱板２３ｃｂの面内方向（ＹＺ平面上）において放熱板２３ｃ（前面側放熱板２３ｃａ及び背面側放熱板２３ｃｂ）と軸部２３ｘａとの間に断熱空間としての空隙を形成する突起２３ｘａｂと、を有する。これにより、放熱板２３ｃと軸部２３ｘａ（ボス部）との間の空隙（空気層）が断熱層として機能するので、放熱板２３ｃからネジ２３ｔへ熱が伝わることが抑えられる。このため、ネジ２３ｔを介して放熱板２３ｃの熱がケース２３ｅの外部へ逃げることが抑えられるので、フィルタ再生部２３ｆ（加熱空間部２３ｅｃ、２３ｅｄ）による加熱効率の低下を抑制することができる。加えて、軸部２３ｘａを介して、放熱板２３ｃからケース２３ｅへ熱が伝わることが抑えられるので、熱によるケース２３ｅの劣化を抑え、ネジ２３ｔの固定状態の信頼性を高めることができる。
【００８２】
また、実施例の脱臭ユニット２３が有するケース２３ｅは、放熱板２３ｃの厚み方向において、放熱板２３ｃとケース２３ｅの内面との間に断熱空間としての空隙を形成しつつ放熱板２３ｃを支持する第１支持部２３ｓ１を有する。これにより、放熱板２３ｃとケース２３ｅの内面との間の空隙（空気層）が断熱層として機能するので、放熱板２３ｃからケース２３ｅへ逃げる熱を更に抑えることができる。このため、放熱板２３ｃによる脱臭フィルタ部２３ａの加熱効率を高めることができる。また、第２支持部２３ｓ２及び第３支持部２３ｓ３についても同様の効果を奏する。
【００８３】
また、実施例の脱臭ユニット２３が有する背面側ケース部材２３ｅｂは、軸部２３ｘａの外周側に配置されて放熱板２３ｃに接する突起２３ｘａｂを有する。これにより、簡素な構成によって、放熱板２３ｃと軸部２３ｘａとの間に断熱空間としての空隙を容易かつ適正に確保することができる。
【００８４】
また、実施例の脱臭ユニット２３は、軸部２３ｘａの外周側に配置されるシャフト部材２３ｘｅを有し、シャフト部材２３ｘｅの内周面が、背面側ケース部材２３ｅｂの突起２３ｘａｂに支持されていると共に、シャフト部材２３ｘｅの外周面が、脱臭フィルタ部２３ａの内周部フィルタカバー２３ａｅの貫通孔２３ａｄとの摺動面をなしている。これにより、シャフト部材２３ｘｅの内周面と軸部２３ｘａの外周面との間に断熱空間としての空隙が確保されるので、前面側放熱板２３ｃａ及び背面側放熱板２３ｃｂの熱が軸部２３ｘａへ伝わることが抑えられる。また、シャフト部材２３ｘｅの外周面を脱臭フィルタ部２３ａとの摺動面とすることで、脱臭フィルタ部２３ａを回転自在に支持することができる。すなわち、前面側放熱板２３ｃからの熱が軸部ｘａに伝わるのを抑えつつ、脱臭フィルタ部２３ａを回転自在に支持することができる。
【００８５】
また、実施例の脱臭ユニット２３は、シャフト部材２３ｘｅが熱伝導性を有し、前面側放熱板２３ｃａと背面側放熱板２３ｃｂとの間にシャフト部材２３ｘｅの両端面が挟み込まれる。これにより、シャフト部材２３ｘｅによって、脱臭フィルタ２３ａａの厚み方向における前面側放熱板２３ｃａと背面側放熱板２３ｃｂとの間隔を規制することが可能となり、この間隔を適正に保つことができる。加えて、シャフト部材２３ｘｅによって、前面側放熱板２３ｃａと背面側放熱板２３ｃｂとの間で相互に熱伝導させることが可能となり、前面側放熱板２３ｃａと背面側放熱板２３ｃｂの温度が均一化されるので、ＰＴＣヒータ２３ｂによって前面側放熱板２３ｃａ及び背面側放熱板２３ｃｂを効率的に加熱することができる。
【００８６】
また、実施例の脱臭ユニット２３は、前面側放熱板２３ｃａと背面側放熱板２３ｃｂとの間に両端面が挟み込まれたシャフト部材２３ｘｅの両端面が、前面側ケース部材２３ｅａの支持面２３ｘｃｃと背面側ケース部材２３ｅｂの支持面２３ｘａｃによってそれぞれ支持されている。これにより、軸部２３ｘａの軸方向（Ｘ方向）に対するシャフト部材２３ｘｅの姿勢が傾くことなく支持することができる。
【００８７】
また、実施例の脱臭ユニット２３が有する前面側放熱板２３ｃａ（背面側放熱板２３ｃｂ）は、軸部２３ｘａとの間に断熱空間としての空隙を確保するように形成された切り欠き部２３ｃａｇ（２３ｃｂｇ）を有し、切り欠き部２３ｃａｇ（２３ｃｂｇ）が、シャフト部材２３ｘｅの周方向に沿って切り欠かれている。これにより、放熱板２３ｃの面内方向における面積を適正に確保しつつ、放熱板２３ｃと軸部２３ｘａとの間に断熱空間を容易かつ適正に確保することができる。
【００８８】
また、実施例の脱臭ユニット２３が有する背面側ケース部材２３ｅｂは、第１支持部２３ｓ１は、放熱板２３ｃの面内方向における第１方向としてのＺ方向に対する放熱板２３ｃの移動を規制する第１リブ２３ｓａと、放熱板２３ｃの面内方向における第２方向としてのＹ方向に対する放熱板２３ｃの移動を規制する第２リブ２３ｓｂと、を有する。これにより、背面側放熱板２３ｃｂの面内方向における背面側ケース部材２３ｅｂの所定の位置に、背面側放熱板２３ｃｂを容易に位置決めすることが可能になり、背面側放熱板２３ｃｂの位置決め精度を高めることできる。したがって、ケース２３ｅの変形に伴うフィルタ再生部２３ｆの組み付け状態のバラツキや、フィルタ再生部２３ｆの組立後に加わる衝撃等によって、前面側放熱板２３ｃａとＰＴＣヒータ２３ｂとの間、背面側放熱板２３ｃｂとＰＴＣヒータ２３ｂとの間に隙間が生じることを抑えることができる。また、第２支持部２３ｓ２及び第３支持部２３ｓ３についても同様の効果を奏する。
【００８９】
なお、本実施例では、突起２３ｘｃｂによって前面側放熱板２３ｃａ（背面側放熱板２３ｃｂ）と軸部２３ｘａとの間に形成される断熱空間が空隙（空気層）で構成されている場合を例示したが、本発明の断熱空間は空気層に限られない。例えば、断熱空間に断熱材が配置されてもよく、この場合であっても、同様の効果を奏する。
【符号の説明】
【００９０】
１  空気清浄機
２３  脱臭ユニット（吸着ユニット）
２３ａ  脱臭フィルタ部
２３ａａ  脱臭フィルタ（フィルタ）
２３ｂ  ＰＴＣヒータ
２３ｃ  放熱板
２３ｃａ  前面側放熱板（第２板）
２３ｃｂ  背面側放熱板（第１板）
２３ｃｂｇ  切り欠き部
２３ｅ  ケース
２３ｅａ  前面側ケース部材（第１ケース部材）
２３ｅｂ  背面側ケース部材（第２ケース部材）
２３ｅｃ、２３ｅｄ  加熱空間部（加熱空間）
２３ｓａ  第１リブ（支持部）
２３ｓｂ  第２リブ（支持部）
２３ｓｃ  第３リブ（支持部）
２３ｓｄ  第４リブ（支持部）
２３ｓｅ  第１リブ（支持部）
２３ｓｆ  第２リブ（支持部）
２３ｔ  ネジ（締結部材）
２３ｘａ  軸部（ボス部）
２３ｘａｂ  突起（空間形成部材）
２３ｘａｃ  支持面
２３ｘｃｂ  突起
２３ｘｃｃ  支持面
２３ｘｅ  シャフト部材（環状部材）
【図１】
2019025426.tif 000003
【図２】
2019025426.tif 000004
【図３】
2019025426.tif 000005
【図４】
2019025426.tif 000006
【図５】
2019025426.tif 000007
【図６】
2019025426.tif 000008
【図７】
2019025426.tif 000009
【図８】
2019025426.tif 000010
【図９】
2019025426.tif 000011
【図１０】
2019025426.tif 000012
【図１１】
2019025426.tif 000013
【図１２】
2019025426.tif 000014
【図１３】
2019025426.tif 000015
【図１４】
2019025426.tif 000016